(57)【要約】【課題】断熱カバーを構成する部位同士の縫合部における断熱性能を向上させる。【解決手段】ハウジングのスクロール部１Ａを覆うカバー本体１１を備え、カバー本体１１は、スクロール部１Ａの外周面から一側端面にわたる範囲を覆う第１部位１２と、スクロール部１Ａの外周面から他側端面にわたる範囲を覆う第２部位１３とからなり、第１部位１２と第２部位１３の外周縁部同士が縫合され、第１部位１２と第２部位１３との縫合部２１とスクロール部２１Ａの外周面との間に空気層２０を形成するようにカバー本体１１が形成されている。【選択図】図２
2010096114.tif 000002
【特許請求の範囲】
【請求項１】
スクロール部を有するハウジングに装着される断熱カバーであって、
ハウジングのスクロール部を覆うカバー本体を備え、
該カバー本体は、スクロール部の外周面から一側端面にわたる範囲を覆う第１部位と、スクロール部の外周面から他側端面にわたる範囲を覆う第２部位とからなり、第１部位と第２部位の外周縁部同士が縫合され、第１部位と第２部位との縫合部と前記スクロール部の外周面との間に空気層を形成するようにカバー本体が形成されている、ことを特徴とする断熱カバー。
【請求項２】
前記縫合部は、複数列の縫目を有する請求項１記載の断熱カバー。
【請求項３】
前記縫合部の前記スクロール部側に、周方向に延びる内側補助断熱材が配置されている請求項１又は２記載の断熱カバー。
【請求項４】
第１部位と第２部位は、該第１部位と第２部位の外周縁部が前記カバー本体の内側に突出するように縫合されており、
前記カバー本体の内側に、前記突出した部位を覆うように周方向に延びる内側補助断熱材を有する請求項１又は２記載の断熱カバー。
【請求項５】
前記カバー本体の外側に、前記縫合部の外側を覆うように周方向に延びる外側補助断熱材を有する請求項１乃至４のいずれか一項に記載の断熱カバー。
【発明の詳細な説明】
【技術分野】
【０００１】
本発明は、スクロール部を有するハウジングに装着される断熱カバーに関する。
【背景技術】
【０００２】
舶用ディーゼルエンジン等の大型内燃機関に装備される排気タービン過給機では、高温となるタービンハウジングやコンプレッサハウジングに人が触れる可能性があるため、人が触れる可能性のある部分の表面温度が所定値以下となるように、断熱カバーが装着される。
【０００３】
従来の断熱カバーを示すものとしては、例えば下記特許文献１がある。図５は、特許文献１に記載された断熱カバーを示す図である。断熱カバーは、ハウジングのスクロール部における周面に合わせて形成した外周部３１と、スクロール部における両端面に合う渦巻状に形成した２つの端面部３２，３２とを縫合あるいはフォークリング等により接合して立体的なカバー本体３１を形成し、各端面部３２の両端部にベルト３３及びバックル３４をそれぞれ取付けた構成となっている。外周部３１と各端面部３２は、それぞれ、耐熱布からなる袋の内部に断熱材を収納した構造となっている。ハウジングへの断熱カバーの装着は、ハウジングにカバー本体３１を被せ、各バックル３４に対応するベルトを通して締め付けることにより行う。
【０００４】
【特許文献１】特開平７−１８９７２５号公報（段落０００３、図１２〜１４）
【発明の開示】
【発明が解決しようとする課題】
【０００５】
上記従来の断熱カバーでは、カバーを構成する各部位３１，３２同士の縫合部には断熱材が入らず、局所的に薄くなるために、縫合部の断熱性能が他の部分（断熱材が入った部分）よりも低下し、温度が高くなるという問題がある。
【０００６】
本発明は、上記の問題に鑑みてなされたものであり、断熱カバーを構成する部位同士の縫合部における断熱性能を向上させることを課題とする。
【課題を解決するための手段】
【０００７】
上記の問題を解決するため、本発明の断熱カバーは、以下の技術的手段を採用する。
（１）本発明は、スクロール部を有するハウジングに装着される断熱カバーであって、ハウジングのスクロール部を覆うカバー本体を備え、該カバー本体は、スクロール部の外周面から一側端面にわたる範囲を覆う第１部位と、スクロール部の外周面から他側端面にわたる範囲を覆う第２部位とからなり、第１部位と第２部位の外周縁部同士が縫合され、第１部位と第２部位との縫合部と前記スクロール部の外周面との間に空気層を形成するようにカバー本体が形成されている、ことを特徴とする。
【０００８】
上記の構成によれば、スクロール部を覆うカバー本体を第１部位と第２部位とで構成したことにより、これらの縫合部とスクロール部との間に厚い空気層を形成する。この空気層は、断熱層として機能するので、縫合部の断熱性能を向上させることができる。
【０００９】
（２）また、上記（１）の断熱カバーにおいて、前記縫合部は、複数列の縫目を有する。
【００１０】
上記の構成によれば、縫合を強化できるので、縫合部からの熱の漏れを減らし、断熱性能を一層向上させることができる。
【００１１】
（３）また、上記（１）又は（２）の断熱カバーにおいて、前記縫合部の前記スクロール部側に、周方向に延びる内側補助断熱材が配置されている。
【００１２】
上記の構成によれば、内側補助断熱材により縫合部からの熱の漏れを減らすことができるので、断熱性能を一層向上させることができる。
【００１３】
（４）また、上記（１）又は（２）の断熱カバーにおいて、第１部位と第２部位は、該第１部位と第２部位の外周縁部が前記カバー本体の内側に突出するように縫合されており、前記カバー本体の内側に、前記突出した部位を覆うように周方向に延びる内側補助断熱材を有する。
【００１４】
上記の構成によれば、内側補助断熱材により縫合部からの熱の漏れを減らすことができるので、断熱性能を一層向上させることができる。
【００１５】
（５）また、上記（１）乃至（４）のいずれかの断熱カバーにおいて、前記カバー本体の外側に、前記縫合部の外側を覆うように周方向に延びる外側補助断熱材を有する。
【００１６】
上記の構成によれば、外側補助断熱材により縫合部からの熱の漏れを減らすことができるので、断熱性能を一層向上させることができる。
【発明の効果】
【００１７】
本発明によれば、断熱カバーを構成する部位同士の縫合部における断熱性能を向上させることができる。
【発明を実施するための最良の形態】
【００１８】
以下、本発明の好ましい実施形態を添付図面に基づいて詳細に説明する。なお、各図において共通する部分には同一の符号を付し、重複した説明を省略する。
【００１９】
図１は本発明の断熱カバーの実施形態を示す図である。図２は図１のＩＩ−ＩＩ線断面図である。
【００２０】
図１において、断熱カバー１０はスクロール部１Ａを有するハウジング１に装着されている。スクロール部１Ａは、ハウジング１のうち、内部に環状空間を形成する部分である。断熱カバー１０が装着されるハウジング１は、タービンハウジングのほか、コンプレッサハウジングでもよい。またハウジング１は、過給機用のタービンハウジングやコンプレッサハウジングであるのがよいが、スクロール部１Ａを有する限り、その他のハウジング１にも適用可能である。
【００２１】
断熱カバー１０は、ハウジング１のスクロール部１Ａを覆うカバー本体１１を備える。図１及び図２に示すように、カバー本体１１は、外周側が閉じ、内周側が開放した断面形状を有し、ハウジング１のスクロール部１Ａを覆うように周方向に延びて全体がカタツムリ形状をなしている。
【００２２】
また断熱カバー１０は、カバー本体１１の周方向の両端部が締結手段２４によって締結されることで、ハウジング１に固定されるようになっている。締結手段２４としては、図１に示すように、たとえば、ベルト２５とバックル２６とにより構成したものを適用できる。
【００２３】
図２に示すように、カバー本体１１は、スクロール部１Ａの外周面から一側端面（図２で左側の側面）にわたる範囲を覆う第１部位１２と、スクロール部１Ａの外周面から他側端面（図２で右側の側面）にわたる範囲を覆う第２部位１３とからなる。
【００２４】
第１部位１２と第２部位１３は、それぞれ、断熱材（例えば、グラスウールなど）と、この断熱材１４を収納する袋１５とからなる。袋１５は、耐熱材（例えば、ガラスクロスなど）からなる表面材１５ａと裏面材１５ｂが縫合されて袋形状をなしたものである。
【００２５】
第１部位１２と第２部位１３の外周縁部同士は縫合されており、第１部位１２と第２部位１３との縫合部２１とスクロール部１Ａの外周面との間に空気層２０を形成するようにカバー本体１１が形成されている。図２の構成例では、第１部位１２と第２部位１３は、第１部位１２と第２部位１３の外周縁部がカバー本体１１の内側に突出するように縫合されている。
【００２６】
上記のように構成された断熱カバー１０によれば、スクロール部１Ａを覆うカバー本体１１を第１部位１２と第２部位１３とで構成したことにより、これらの縫合部２１とスクロール部１Ａの外周面との間に厚い空気層２０を形成する。この空気層２０は、断熱層として機能するので、縫合部２１の断熱性能を向上させることができる。
【００２７】
このように、縫合部２１をスクロール部１Ａの外周面から離れた位置に配置することで、断熱層である空気層が形成される。したがって、所望の断熱性能が得られる程度に厚い（例えば１５ｍｍ〜５０ｍｍ、あるいはそれ以上）空気層２０が形成されるように第１部位１２と第２部位１３の大きさ及び縫合部２１の位置を設定するのがよい。
【００２８】
図２に示すように、縫合部２１は複数列の縫目２２を有するのが好ましい。図２の構成例では、縫合部２１の縫目２２は３重となっている。このように構成することにより、縫合を強化できるので、縫合部２１からの熱の漏れを減らし、断熱性能を一層向上させることができる。
【００２９】
また図２の構成例のように、カバー本体１１の内側において、縫合部２１のスクロール部１Ａ側に、周方向に延びる内側補助断熱材２３を配置するのがよい。内側補助断熱材２３は、縫合や接着剤などによる接着によって、カバー本体１１に固定することができる。この構成によれば、内側補助断熱材２３により縫合部２１からの熱の漏れを減らすことができるので、断熱性能を一層向上させることができる。
【００３０】
また図２の構成例のように、カバー本体１１の外側に、縫合部２１の外側を覆うように周方向に延びる外側補助断熱材２５を配置するのがよい。外側補助断熱材２５は、縫合や接着剤などによる接着によって、カバー本体１１に固定することができる。この構成によれば、外側補助断熱材２５により縫合部２１からの熱の漏れを減らすことができるので、断熱性能を一層向上させることができる。
【００３１】
図３は、断熱カバー１０の別の構成例を示す断面図である。図３において、第１部位１２と第２部位１３の外周縁部がカバー本体１１の内側に突出するように縫合されている点は図２と同様であるが、図２の内側補助断熱材２３に代えて、図３の構成例では、カバー本体１１の内側に、上記の突出した部位を覆うように周方向に延びる内側補助断熱材２４が配置されている。図３の構成例では、内側補助断熱材２４は、上記の内側に突出した部分を覆うように湾曲した断面形状を有する。
【００３２】
図３の構成例における上記以外の部分の構成は、図２の構成例と同じである。図３の構成例によっても、内側補助断熱材２４により縫合部２１からの熱の漏れを減らすことができるので、断熱性能を一層向上させることができる。
【００３３】
図４は、断熱カバー１０のさらに別の構成例を示す断面図である。図２及び図３の構成例と異なり、図４の構成例では、第１部位１２と第２部位１３の外周縁部がカバー本体１１の外側に突出するように縫合されており、その突出した部位を覆うように周方向に延びる外側補助断熱材２６が配置されている。図４の構成例では、外側補助断熱材２６は、上記の外側に突出した部分を覆うように湾曲した断面形状を有する。
【００３４】
図４の構成例における上記以外の部分の構成は、図２の構成例と同じである。図４の構成例によっても、外側補助断熱材により縫合部２１からの熱の漏れを減らすことができるので、断熱性能を一層向上させることができる。
【００３５】
なお、上記において、本発明の実施形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【図面の簡単な説明】
【００３６】
【図１】本発明の断熱カバーの実施形態を示す図である。
【図２】図１のＩＩ−ＩＩ線断面図である。
【図３】断熱カバーの別の構成例を示す図である。
【図４】断熱カバーのさらに別の構成例を示す図である。
【図５】従来の断熱カバーの構成を示す図である。
【符号の説明】
【００３７】
１  ハウジング
１Ａ  スクロール部
１０  断熱カバー
１１  カバー本体
１２  第１部位
１３  第２部位
１４  断熱材
１５  袋
１５ａ  表面材
１５ｂ  裏面材
２０  空気層
２１  縫合部
２２  縫目
２３，２４  内側補助断熱材
２５，２６  外側補助断熱材
【図１】
2010096114.tif 000003
【図２】
2010096114.tif 000004
【図３】
2010096114.tif 000005
【図４】
2010096114.tif 000006
【図５】
2010096114.tif 000007